(57)【要約】
【課題】　バックパッキングを取下げなくても、ストラップとバックパッキングとの相対位置を調節できるバックパッキングの高さ調節装置を提供する。
【解決手段】　バックパッキング（３１）の上下位置と対応するストラップ（３０）にバックパッキング（３１）と連結する上調節ベルト（３２）と下調節ベルト（３３）が設けられるバックパッキングの高さ調節装置であって、
該バックパッキングの高さ調節装置は、バックパッキング（３１）の背部に縫着されるバックプレート（１０）と、ストラップ（３０）に縫着される摺動プレート（２０）とを有し、バックプレート（１０）にストラップと平行する二つの摺動溝（１１）が形成され、その摺動溝（１１）に摺動可能に摺動プレート（２０）上に設けられる摺動ブロック（２１）が嵌設されることを特徴とする。
【選択図】　図６
0003099920.tif 000002
【実用新案登録請求の範囲】
【請求項１】
バックパッキング（３１）の上下位置と対応するストラップ（３０）に、バックパッキング（３１）と連結する上調節ベルト（３２）と下調節ベルト（３３）が設けられるバックパッキングの高さ調節装置であって、
該バックパッキングの高さ調節装置は、バックパッキング（３１）の背部に縫着されるバックプレート（１０）と、ストラップ（３０）に縫着される摺動プレート（２０）とを有し、バックプレート（１０）にストラップと平行する二つの摺動溝（１１）が形成され、その摺動溝（１１）に摺動可能に、摺動プレート（２０）上に設けられる摺動ブロック（２１）が嵌設されることを特徴とするバックパッキングの高さ調節装置。
【請求項２】
前記摺動溝（１１）の下端に、摺動溝（１１）より大きい幅を有する貫通孔（１２）が形成され、前記摺動ブロック（２１）の幅は、貫通孔（１２）より小さいと共に、摺動溝（１１）より大きく、更に、摺動ブロック（２１）と摺動プレート（２０）との間に摺動溝（１１）の幅より小さい頚部（２２）が設けられることを特徴とする請求項１に記載のバックパッキングの高さ調節装置。
【考案の詳細な説明】
【技術分野】
【０００１】
　本考案は、バックパッキングを取下げなくても、ストラップとバックパッキングとの相対位置を調節できる、バックパッキングの高さ調節装置に関する技術である。
【背景技術】
【０００２】
　バックパッキング（ザック）は、山登りやキャンプの愛好家がよく使用する用具であり、使用者は、生活に必要な物をバックパッキングの内部に入れ、ストラップによってこのバックパッキングを背負う。
【０００３】
　従来のバックパッキングには、異なる身長の使用者に合わせてストラップの長さを調節する構造が設けられているが、該ストラップの調節は、必ずバックパッキングを使用者の背部から取下げなければ、調節が行えないので、非常に不便である。この問題に鑑み、バックパッキングの背部に高さ調節装置を設けることにより、使用者がバックパッキングを背部から取下げることなく、ストラップとバックパッキングとの相対位置を調節できるバックパッキングが開発されている。
【０００４】
　前記従来のバックパッキングの高さ調節装置は、図７に示すように、バックパッキングの背部に、ストラップ（６０）と平行する二本の調節用金属ロッド（６１）が設けられると共に、該ストラップ（６０）が、調節用金属ロッド（６１）の調節部材（６２）に固定され、バックパッキングの上下位置と対応するストラップ（６０）に、バックパッキングと連結される上調節ベルト（６３）と下調節ベルト（６４）が設けられる。バックパッキングの高さを調節する場合、両手で上調節ベルト（６３）を引くと共に、調節部材（６２）を調節用金属ロッド（６１）に沿って上方へ摺動させ、更に、下調節ベルト（６４）を引くことによって調節部材（６２）の高さを固定するので、バックパッキングを使用者の背部から取下げなくても、ストラップとバックパッキングとの相対位置を調節することができる。
【考案の開示】
【考案が解決しようとする課題】
【０００５】
　しかし、従来のバックパッキングの高さ調節装置は、バックパッキングを使用者の背部から取下げなくても、ストラップとバックパッキングとの相対位置を調節できるが、バックパッキングの背部に設けられた調節用金属ロッドが、長時間に使用者の背部と接触すると、使用者に痛み等の違和感を与えやすいため、使用上の問題が生じている。
【０００６】
　そこで、案出されたのが本考案であって、バックパッキングを長時間背負しても、使用者の背部に痛み等の違和感を与えることなく、且つ、バックパッキングを取下げなくても、ストラップとバックパッキングとの相対位置を調節できるバックパッキングの高さ調節装置を提供することを課題としている。
【課題を解決するための手段】
【０００７】
　請求項１の考案は、バックパッキング（３１）の上下位置と対応するストラップ（３０）に、バックパッキング（３１）と連結する上調節ベルト（３２）と下調節ベルト（３３）が設けられるバックパッキングの高さ調節装置であって、
該バックパッキングの高さ調節装置は、バックパッキング（３１）の背部に縫着されるバックプレート（１０）と、ストラップ（３０）に縫着される摺動プレート（２０）とを有し、バックプレート（１０）にストラップと平行する二つの摺動溝（１１）が形成され、その摺動溝（１１）に摺動可能に摺動プレート（２０）上に設けられる摺動ブロック（２１）が嵌設されることを特徴とするバックパッキングの高さ調節装置であり、
請求項２の考案は、前記摺動溝（１１）の下端に摺動溝（１１）より大きい幅を有する貫通孔（１２）が形成され、前記摺動ブロック（２１）の幅は、貫通孔（１２）より小さいと共に、摺動溝（１１）より大きく、更に、摺動ブロック（２１）と摺動プレート（２０）との間に摺動溝（１１）の幅より小さい頚部（２２）が設けられることを特徴とする請求項１に記載のバックパッキングの高さ調節装置である。
【考案の効果】
【０００８】
　本考案は上記の課題を解決するものであり、摺動プレートと使用者の背部との面接触によって、長時間バックパッキングを背負しても、使用者の背部に痛み等の違和感を与えることなく、且つ、バックパッキングを取下げなくても、ストラップとバックパッキングとの相対位置を調節することができる。
【考案を実施するための最良の形態】
【０００９】
　以下、添付図面を参照して、本考案を実施するための最良の形態を詳細に説明する。尚、下記の記載は、本考案を実施するための最良の形態を示したものにすぎず、本考案の技術的範囲は、下記の記載に限定されるものではない。
【００１０】
　図１は、本考案のバックパッキングの高さ調節装置の斜視図であり、図２は、本考案のバックパッキングの高さ調節装置の分解斜視図であり、図３は、図１の３−３線断面図であり、図４は、図１の４−４線断面図であり、図５は、本考案のバックパッキングの高さ調節装置の使用状態を示す斜視図であり、図６は、本考案のバックパッキングのバックプレートと摺動プレートを取り外した状態を示す斜視図である。
【００１１】
　図１乃至図６に示すように、本考案のバックパッキングの高さ調節装置は、バックパッキングの背部に縫着されるバックプレート（１０）と、ストラップ（３０）と縫着される摺動プレート（２０）とを有し、バックプレート（１０）にストラップと平行する二つの摺動溝（１１）が形成され、該摺動溝（１１）の下端に摺動溝（１１）より大きい幅を有する貫通孔（１２）が形成され、又、その摺動溝（１１）に摺動可能に摺動プレート（２０）上に設けられる摺動ブロック（２１）が嵌設され、該摺動ブロック（２１）の幅は貫通孔（１２）より小さいと共に、摺動溝（１１）より大きく、摺動ブロック（２１）と摺動プレート（２０）との間に摺動溝（１１）の幅より小さい頚部（２２）が設けられる。
【００１２】
　図１乃至図６に示すように、本考案のバックパッキングの高さ調節装置を組合せる場合、先ず摺動プレート（２０）の摺動ブロック（２１）を外部から見えるように露出してストラップ（３０）と縫着すると共に、バックプレート（１０）の摺動溝（１１）を外部から見えるように露出して、バックパッキング（３１）の背部に縫着すると共に、更に、摺動プレート（２０）の摺動ブロック（２１）を貫通孔（１２）からバックプレート（１０）の内部に挿入すると共に、頚部（２２）を摺動溝（１１）の内部で摺動可能に嵌め込む。
【００１３】
　本考案のバックパッキングの高さ調節装置を使用する際、使用者は上調節ベルト（３２）を引くことによって、ストラップ（３０）が摺動プレート（２０）を連動させると共に、摺動プレート（２０）が、頚部（２２）と摺動溝（１１）によってバックプレート（１０）に対して移動されることにより、ストラップ（３０）とバックパッキング（３１）との相対高度を調節し、更に、下調節ベルト（３３）を引くことによって、ストラップ（３０）とバックパッキング（３１）との相対位置を固定することにより、バックパッキング（３１）を取下げなくても、ストラップ（３０）とバックパッキング（３１）との相対位置を調節することができる。
【産業上の利用可能性】
【００１４】
　本考案は上記の構成を有するので、摺動プレートと使用者の背部との面接触によって、長時間バックパッキングを背負しても、使用者の背部に痛み等の違和感を与えることがない。また、バックパッキングを取下げなくても、ストラップとバックパッキングとの相対位置を調節することができる。更に、バックプレートをバックパッキングの支持部材としてバックパッキングの背部に縫い合わせることにより、他の支持部材が要らないので、製造プロセスも簡単にすることができる。
【図面の簡単な説明】
【００１５】
【図１】本考案のバックパッキングの高さ調節装置の斜視図である。
【図２】本考案のバックパッキングの高さ調節装置の分解斜視図である。
【図３】図１の３−３線断面図である。
【図４】図１の４−４線断面図である。
【図５】本考案のバックパッキングの高さ調節装置の使用状態を示す斜視図である。
【図６】本考案のバックパッキングのバックプレートと摺動プレートを取り外した状態を示す斜視図である。
【図７】従来の高さ調節装置を有するバックパッキングの斜視図である。
【符号の説明】
【００１６】
１０：バックプレート
１１：摺動溝
１２：貫通孔
２０：摺動プレート
２１：摺動ブロック
２２：頚部
３０：ストラップ
３１：バックパッキング
３２：上調節ベルト
３３：下調節ベルト
６０：ストラップ
６１：調節用金属ロッド
６２：調節部材
６３：上調節ベルト
６４：下調節ベルト
【図１】
0003099920.tif 000003
【図２】
0003099920.tif 000004
【図３】
0003099920.tif 000005
【図４】
0003099920.tif 000006
【図５】
0003099920.tif 000007
【図６】
0003099920.tif 000008
【図７】
0003099920.tif 000009